(57)【要約】【課題】複数人で構成されたグループで共有したデータに関する注文処理の効率化を図ることである。【解決手段】本発明の注文処理システムを適用した注文処理端末１は、所定のグループに関する情報が登録され、当該グループで共有するデータが入力されると、登録されたグループ情報及び共有データに対して一意的な管理Ｎｏ．を付与し、グループを構成するメンバーの識別情報（氏名及び電話番号）の記入欄が設けられ、管理Ｎｏ．が印刷された注文票を発行する。【選択図】　　図６
2004046441.tif 000002
【特許請求の範囲】
【請求項１】
所定のグループに関する情報を登録する登録手段と、
前記登録手段により登録されたグループ情報及び前記所定のグループで共有するデータを管理する管理情報を生成する生成手段と、
前記生成手段により生成された管理情報及び前記所定のグループの共有データに基づいて、当該共有データに施す所定の処理を注文するための注文票データを作成する作成手段と、
前記作成手段により作成された注文票データに基づいて注文票を印刷出力する出力手段と、を備え、
前記作成手段は、前記所定のグループを構成するメンバーの識別情報の記入欄を有するとともに前記生成手段により生成された管理情報を記録した注文票データを作成することを特徴とする注文処理システム。
【請求項２】
所定のグループに関する情報を登録する登録手段と、
前記所定のグループで共有するデータを入力する入力手段と、
前記登録手段により登録されたグループ情報及び前記入力手段により入力された前記所定のグループの共有データを管理する管理情報を生成する生成手段と、前記生成手段により生成された管理情報及び前記所定のグループの共有データに基づいて、当該共有データに施す所定の処理を注文するための注文票データを作成する作成手段と、
前記作成手段により作成された注文票データに基づいて注文票を印刷出力する出力手段と、を備え、
前記作成手段は、前記所定のグループを構成するメンバーの識別情報の記入欄を有するとともに前記生成手段により生成された管理情報を記録した注文票データを作成することを特徴とする注文処理システム。
【請求項３】
前記所定のグループの共有データに施す所定の処理は、当該共有データのプリント処理であり、
前記作成手段は、当該共有データのプリント処理を注文するための注文票データを作成することを特徴とする請求項１又は２記載の注文処理システム。
【請求項４】
前記所定のグループの共有データに施す所定の処理は、コンピュータが読取可能な記録媒体に当該共有データを記録する処理であり、
前記作成手段は、当該共有データの前記記録媒体への記録処理を注文するための注文票データを作成することを特徴とする請求項１又は２記載の注文処理システム。
【請求項５】
前記所定のグループの共有データは画像データを含み、
前記作成手段は、前記画像データのサムネイル画像を用いて前記注文票データを作成することを特徴とする請求項１〜４の何れか一項に記載の注文処理システム。
【請求項６】
所定のグループで共有している画像データのサムネイル画像若しくはアイコン又は文書データのアイコンと、前記所定のグループの識別情報及び共有データを対応付けた管理情報が記録されていることを特徴とするプリント注文票。
【発明の詳細な説明】
【０００１】
【発明の属する技術分野】
本発明は、データ処理の注文を行うための注文処理システム及びプリント注文票に関する。
【０００２】
【従来の技術】
一般に、グループ旅行等で撮影された写真画像の焼き増しを行う場合、グループの代表者（例えば、旅行の幹事役）は、グループを構成する各メンバーの注文内容（焼き増しプリント注文を行う写真、プリントサイズ及びプリント枚数等）を取りまとめ、プリントサービスを提供している写真専門店や取次店の店頭でプリント注文を行うことが多い。
【０００３】
【発明が解決しようとする課題】
しかしながら、上述のプリント注文方式では、グループの代表者がグループ全体のプリント注文を取りまとめていたため、代表者の負担が大きいという問題があった。また、注文内容の変更や追加の際も、代表者が取りまとめることが多いため、グループの各メンバーは代表者に気兼ねしてしまい、プリント注文がしにくいという問題があった。
【０００４】
本発明の課題は、複数人で構成されたグループで共有したデータに関する注文処理の効率化を図ることである。
【０００５】
【課題を解決するための手段】
上記課題を解決するため、請求項１記載の発明は、
所定のグループに関する情報を登録する登録手段と、
前記登録手段により登録されたグループ情報及び前記所定のグループで共有するデータを管理する管理情報を生成する生成手段と、
前記生成手段により生成された管理情報及び前記所定のグループの共有データに基づいて、当該共有データに施す所定の処理を注文するための注文票データを作成する作成手段と、
前記作成手段により作成された注文票データに基づいて注文票を印刷出力する出力手段と、を備え、
前記作成手段は、前記所定のグループを構成するメンバーの識別情報の記入欄を有するとともに前記生成手段により生成された管理情報を記録した注文票データを作成することを特徴としている。
【０００６】
請求項１記載の発明によれば、グループの共有データに施す所定の処理の注文に際して、グループを構成するメンバーの識別情報の記入欄を有し、管理情報が記録された注文票を発行することにより、グループの各メンバーは、他のメンバーに気兼ねなく、所望のタイミングで、共有データに対する処理を注文することができる。
【０００７】
請求項２記載の発明は、
所定のグループに関する情報を登録する登録手段と、
前記所定のグループで共有するデータを入力する入力手段と、
前記登録手段により登録されたグループ情報及び前記入力手段により入力された前記所定のグループの共有データを管理する管理情報を生成する生成手段と、前記生成手段により生成された管理情報及び前記所定のグループの共有データに基づいて、当該共有データに施す所定の処理を注文するための注文票データを作成する作成手段と、
前記作成手段により作成された注文票データに基づいて注文票を印刷出力する出力手段と、を備え、
前記作成手段は、前記所定のグループを構成するメンバーの識別情報の記入欄を有するとともに前記生成手段により生成された管理情報を記録した注文票データを作成することを特徴としている。
【０００８】
請求項２記載の発明によれば、入力されたグループの共有データに施す所定の処理の注文に際して、グループを構成するメンバーの識別情報の記入欄を有し、管理情報が記録された注文票を発行することにより、グループの各メンバーは、他のメンバーに気兼ねなく、所望のタイミングで、共有データに対する処理を注文することができる。
【０００９】
請求項３記載の発明は、請求項１又は２記載の発明において、
前記所定のグループの共有データに施す所定の処理は、当該共有データのプリント処理であり、
前記作成手段は、当該共有データのプリント処理を注文するための注文票データを作成することを特徴としている。
【００１０】
請求項３記載の発明によれば、グループの各メンバーは、他のメンバーに気兼ねなく、共有データのプリント処理を注文することができる。
【００１１】
請求項４記載の発明は、請求項１又は２記載の発明において、
前記所定のグループの共有データに施す所定の処理は、コンピュータが読取可能な記録媒体に当該共有データを記録する処理であり、
前記作成手段は、当該共有データの前記記録媒体への記録処理を注文するための注文票データを作成することを特徴としている。
【００１２】
請求項４記載の発明によれば、グループの各メンバーは、他のメンバーに気兼ねなく、共有データの記録媒体への記録処理を注文することができる。
【００１３】
請求項５記載の発明は、請求項１〜４の何れか一項に記載の発明において、
前記入力手段により入力された前記所定のグループの共有データは画像データを含み、
前記作成手段は、前記入力手段により入力された画像データのサムネイル画像を用いて前記注文票データを作成することを特徴としている。
することを特徴としている。
【００１４】
請求項５記載の発明によれば、画像データのサムネイル画像が印刷された注文票が発行可能になることにより、注文客は、発行された注文票に注文内容を記入する際、注文を行う画像を容易に確認することができる。
【００１５】
請求項６記載の発明は、
所定のグループで共有している画像データのサムネイル画像若しくはアイコン又は文書データのアイコンと、前記所定のグループの識別情報及び共有データを対応付けた管理情報が記録されていることを特徴としている。
【００１６】
請求項６記載の発明によれば、プリント注文票に、所定のグループで共有している画像データのサムネイル画像若しくはアイコン又は文書データのアイコンと、前記所定のグループの識別情報及び共有データを対応付けた管理情報が記録されていることにより、グループの各メンバーは、当該プリント注文票を用いて画像データ又は文書データのプリント注文を行う際、プリント注文を行うデータを容易に確認することができる。
【００１７】
【発明の実施の形態】
以下、図を参照して本発明の実施の形態を詳細に説明する。
まず、構成を説明する。
【００１８】
図１は、本発明の注文処理システムを適用した注文処理端末１の内部構成を示すブロック図である。注文処理端末１は、プリントサービスやメディア書き込みサービス等のフォトサービスを提供する写真専門店や取次店、コンビニエンスストア、ドラッグストア等に設置され、図２に示すように、制御部１０、表示部１１、キー入力部１２、メディア入力部１３、メディア出力部１４、プリント出力部１５、記憶部１６、通信部１７、情報管理ＤＢ１８により構成され、各部は、バス１９により接続されている。
【００１９】
なお、注文処理端末１は、各部が一体的に構成されるようにしてもよいが、これに限定されず、何れか１つ以上を別体として設けてもよい。
【００２０】
制御部１０は、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ
Ｍｅｍｏｒｙ）、ＲＯＭ（Ｒｅａｄ　Ｏｎｌｙ　Ｍｅｍｏｒｙ）等により構成される。
【００２１】
制御部１０内のＣＰＵは、ＲＯＭに格納された注文処理端末１用の各種プログラムの中から、指定されたプログラムをＲＡＭ内のワークエリアに展開し、当該プログラムに従った処理を実行する。
【００２２】
制御部１０内のＲＡＭは、ＣＰＵにより実行される処理プログラム等を、ＲＡＭ内のプログラム格納領域に展開するとともに、入力データや上記処理プログラムが実行される際に生じる処理結果等をワークエリアに格納する。
【００２３】
制御部１０内のＲＯＭは、注文処理端末１で実行可能なシステムプログラム、当該システムプログラムで実行可能な注文票発行処理プログラム及び注文票発行処理プログラムで利用されるデータ等を格納している。これらのプログラムは、コンピュータが読み取り可能なプログラムコードの形でＲＯＭに格納されている。システムプログラム以外の実行可能な注文票発行処理プログラム等の各種プログラムやプログラムによって利用されるデータ等は、記憶部１６に格納することもできる。
【００２４】
具体的には、制御部１０は、フォトサービスに登録されたグループで共有する画像データ（以下、共有データと称す）のプリント注文やメディア書き込み注文を行うための注文票を発行する注文票発行処理（図５参照）を実行する。なお、この制御部１０は、特許請求の範囲における生成手段及び作成手段としての機能を有する。
【００２５】
表示部１１は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、制御部１０から入力される表示信号に従って、所要の表示処理を行う。表示部１１における表示は、グラフィックを用いてもよいし、テキストのみを用いてもよい。また、グラフィックとテキストを併用して表示するようにしてもよい。更に、注文処理端末１が単一動作を行うものである場合、表示部１１を備えないようにしてもよい。
【００２６】
キー入力部１２は、テンキー、カーソルキー、各種ファンクションキー等を有し、キーの押下信号による操作信号を制御部１０に出力する。キー入力部１２におけるキーは、１箇所に集中してレイアウトされていてもよいし、複数箇所に分散されてレイアウトされていてもよい。また、キー入力部１２は、表示部１１のＬＣＤと一体になったタッチパネルを含んでいてもよい。
【００２７】
メディア入力部１３は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００２８】
また、メディア入力部１３は、フィルム画像やプリント画像を読み取るためのスキャナを備えている。このスキャナは、フィルムやプリントに光を照射し、当該フィルムに記録された撮影画像を撮像光として出力するための発光部（図示略）と、当該撮像光を光電変換により画像信号に変換する図示しないＣＣＤ（Ｃｈａｒｇｅ　Ｃｏｕｐｌｅｄ　Ｄｅｖｉｃｅ）と、この画像信号をデジタル画像データに変換するアナログ／デジタルコンバータ（図示略）とを備え、スキャナにより読み込まれたデジタル画像データを、制御部１０に出力する。なお、この入力部１３は、特許請求の範囲のおける入力手段としての機能を有する。
【００２９】
メディア出力部１４は、ＣＤ−Ｒ（ＣＤ−Ｒｅｃｏｒｄａｂｌｅ）、ＤＶＤ−Ｒ（Ｄｉｇｉｔａｌ　Ｖｅｒｓａｔｉｌｅ　Ｄｉｓｋ　Ｒｅｃｏｒｄａｂｌｅ）、ＭＯ（Ｍａｇｎｅｔｏ　Ｏｐｔｉｃａｌ　Ｄｉｓｋ）、ＰＣカード、メモリスティック（登録商標）、スマートメディア（登録商標）、コンパクトフラッシュ（登録商標）、マルチメディアカード（登録商標）等、データの書き込みが可能なメディアが装着可能な構成となっており、制御部１０からの制御信号に従って、記憶部１６に格納されたデータや、メディア入力部１３に装着されたメディアに記録されたデータ、スキャナにより読み取られたフィルム画像やプリント画像のデジタルデータ等の書き込みを行う。
【００３０】
また、メディア出力部１４は、必要に応じて、画像データを閲覧するためのソフトウェア、注文票を各々のパーソナルコンピュータで出力するためのソフトウェア、注文票のイメージファイル、インターネットを介してプリント注文を行うためのソフトウェア等を、メディア出力部１４に装填されたメディアに同時に書き込むこともできる。更に、メディア出力部１４は、装填されたメディアに、客のデータ以外の必要なデータを予め書き込むこともできる。
【００３１】
プリント出力部１５は、給紙部（図示略）と排紙部（図示略）等を備え、制御部１０からの制御信号に従って、印刷用紙に注文票を印刷出力する。プリント出力部１５における印刷方式は、インクジェット方式、レーザー方式、熱転写方式、昇華型方式、ＴＡ方式等の何れの方式も使用可能である。また、印刷用紙は、連続用紙（ロール紙）や単票用紙（カット紙）の何れも使用可能である。また、印刷用紙は、どの注文にも共通する必要事項が予め印刷されているのを使用してもよい。なお、プリント出力部１５は、特許請求の範囲における出力手段としての機能を有する。
【００３２】
記憶部１６は、ＨＤ（Ｈａｒｄ　Ｄｉｓｋ）等を備え、後述の注文票発行処理（図５参照）において、メディア入力部１３から入力された共有データを格納する。なお、記憶部１６は、メディア入力部１３から入力された共有データのディレクトリ構造をフラットなディレクトリ構造に変えて、共有データ内の各ファイルの格納を行うようにしてもよいが、共有データのディレクトリ構造を保持して格納するようにしてもよい。また、共有データ内の各ファイルの格納に際し、ディレクトリ構造を保持するか否かをキー入力部１２から指定できるようにしてもよい。また、上述では、記憶部１６が、メディア入力部１３から入力された共有データを格納するようにしたが、後述の通信部１７を介して外部機器内の記憶部に格納するようにしてもよい。
【００３３】
なお、記憶部１６は、注文票発行に必要な各種処理プログラム、グループ管理に必要な処理プログラム、これらの各種プログラムに必要なデータを格納するようにしてもよい。また、記憶部１７に格納されたこれらの各種プログラムやデータは、通信部１７を介して外部から書き換えることが可能である。
【００３４】
通信部１７は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信回線を介して、通信ネットワークに接続される外部機器（店舗に設置された他の注文処理端末やパーソナルコンピュータ、外部のサーバ等）との通信を行うための通信制御を行う。
【００３５】
情報管理ＤＢ（Ｄａｔａ　Ｂａｓｅ）１８は、本発明の注文処理システムによる注文票発行に必要な情報として、情報管理テーブル１８１（図２参照）、グループ情報１８２（図３（ａ）参照）及び共有データ情報１８３（図３（ｂ）参照）を格納している。なお、情報管理ＤＢ１８は、制御部１０とともに、特許請求の範囲における登録手段としての機能を有する。
【００３６】
情報管理テーブル１８１は、図２に示すように、「管理Ｎｏ．」、「グループＩＤ」及び「共有データＩＤ」の各項目を対応付けて記憶している。情報管理テーブル１８１において、「管理Ｎｏ．」項目は、後述のグループＩＤで指定されたグループ情報１８２（図３（ａ））及び後述の共有データＩＤで指定された共有データ情報１８３（図３（ｂ））を管理するための番号を記憶している。「管理Ｎｏ．」項目で設定される管理番号は、フォトサービスシステム内でユニークに付与される番号である。
【００３７】
また、「グループＩＤ」項目は、フォトサービスに登録されたグループを識別するための番号（及びアルファベット等）を記憶し、「共有データＩＤ」項目は、対応するグループＩＤのグループの共有データを識別するための番号を記憶している。
【００３８】
グループ情報１８２は、フォトサービスに登録された各グループを構成するメンバーの情報を格納したもので、図３（ａ）に示すように、グループＩＤ毎に、グループのメンバーの「氏名」、「電話番号」、「携帯メールアドレス」、「Ｅメールアドレス」及び「会員番号」の各項目を記憶している。グループ情報１８２のメンバー情報は上述に限定されるものではなく、データベースのフィールドを追加することによって、サービスに必要な情報を追加することができる。
【００３９】
グループ情報１８２において、「氏名」項目及び「電話番号」項目は、それぞれ、各メンバーの名前、自宅（又は携帯電話）の電話番号を記憶している。「携帯メールアドレス」項目は、各メンバーが所有する携帯電話に設定された電子メールアドレスを記憶し、「Ｅメールアドレス」項目は、各メンバーが所有するパーソナルコンピュータ等の通信端末に設定された電子メールアドレスを記憶している。「会員番号」項目は、各メンバーの会員番号を記憶している。
【００４０】
グループ情報１８２に格納される内容は、例えば、図４に示したグループ会員申し込み票αに記入された内容に基づいて決定される。このグループ会員申し込み票αは、フォトサービスにグループ登録するために必要な書類である。以下、図４を参照して、グループ会員申し込み票αの記入内容について説明する。
【００４１】
グループ会員申し込み票αには、図４に示すように、上半分に、グループの代表者（以下、グループ代表者と称す）に関する情報を記載するための「１．代表者情報」項目が設けられ、下半分に、グループ代表者以外のメンバーに関する情報を記載するための「２．グループメンバー情報」項目が設けられている。
【００４２】
グループ会員申し込み票αにおいて、「１．代表者情報」項目は、「グループ名」、「氏名」、「電話番号」、「会員番号」、「法人名」、「電話番号」、「郵便番号」、「住所」、「性別」、「生年月日」、「携帯メールアドレス」、「ｅ−メールアドレス１」、「ｅ−メールアドレス２」の各項目から構成されている。
【００４３】
「１．代表者情報」項目内の「グループ名」項目には、グループの名称の記入欄、「氏名」項目には、グループ代表者の氏名の記入欄が設けられている。「氏名」項目に隣接する「電話番号」には、グループ代表者の電話番号（例えば、自宅の電話番号）の記入欄が設けられている。また、「会員番号」項目には、グループ代表者の会員番号の記入欄が設けられている。この「会員番号」項目に記入される会員番号は、グループ登録後に記入されることになる。なお、「グループ名」項目、「氏名」項目及び「氏名」項目に隣接する「電話番号」項目は、必須の記入項目となっている。これらの項目（「グループ名」、「氏名」及び「電話番号」）は、サービスを提供するにあたって、個人を特定して連絡をするための必要最低限の項目である。
【００４４】
「法人名」項目には、グループが所属する法人の名称の記入欄が設けられ、「法人名」の下部の「電話番号」項目及び「ＦＡＸ」項目には、それぞれ、当該法人の電話番号、ＦＡＸ番号の記入欄が設けられている。当該グループが法人に属していない場合は、これらの欄を記入する必要はない。
【００４５】
「郵便番号」項目及び「住所」項目には、それぞれ、グループ代表者の自宅の郵便番号、住所の記入欄が設けられ、「性別」項目及び「生年月日」項目には、それぞれ、グループ代表者の性別、生年月日の記入欄が設けられている。「住所」項目は、必須の記入項目となっている。
【００４６】
「携帯メールアドレス」項目には、グループ代表者が所有する携帯電話に設定された電子メールアドレスの記入欄が設けられ、「ｅ−メールアドレス１」項目及び「ｅ−メールアドレス２」項目には、グループ代表者が所有するパーソナルコンピュータ等の通信端末に設定された電子メールアドレスの記入欄が設けられている。
【００４７】
このように、グループ代表者に関する情報を詳細に記入しなければならないのは、プリント注文やメディア書き込み注文をしたまま放置されるのを未然に防ぐために、代表者の身元を明確にしておく必要があるからである。
【００４８】
グループ会員申し込み票αにおいて、「２．グループメンバー情報」項目は、「氏名」、「電話番号」、「会員番号」、「携帯メールアドレス」、「ｅ−メールアドレス」の各項目から構成されている。
【００４９】
「２．グループメンバー情報」項目において、「氏名」項目には、グループ代表者以外のグループメンバーの氏名の記入欄が設けられている。「氏名」項目に隣接する「電話番号」には、当該メンバーの電話番号（例えば、自宅の電話番号）の記入欄が設けられている。また、「会員番号」項目には、当該メンバーの会員番号の記入欄が設けられている。この「会員番号」項目に記入される会員番号は、グループ登録後に記入されることになる。なお、「氏名」項目及び「電話番号」項目は、必須の記入項目になっている。
【００５０】
「携帯メールアドレス」項目には、グループ代表者以外のグループメンバーが所有する携帯電話に設定された電子メールアドレスの記入欄が設けられ、「ｅ−メールアドレス１」項目及び「ｅ−メールアドレス２」項目には、当該メンバーが所有するパーソナルコンピュータ等の通信端末に設定された電子メールアドレスの記入欄が設けられている。
【００５１】
なお、上述では、必要事項が記入されたグループ会員申し込み票αを用いて、フォトサービスにグループ登録を行う場合を示したが、グループ登録の方式はこれに限定されず、例えば、パーソナルコンピュータ等の通信端末からグループ会員登録ページにアクセスし、グループ会員登録ページに提示された記入フォームに必要事項を入力することにより、グループ登録を行うようにしてもよい。
【００５２】
共有データ情報１８３は、図３（ｂ）に示すように、共有データＩＤ毎に、「Ｎｏ．」、「パス名」、「ファイル名（フラット）」の各項目を対応付けて記憶している。この共有データ情報１８３において、「Ｎｏ．」項目は、グループの共有データ内のファイル毎に付与されたファイル番号を記憶する。「Ｎｏ．」項目で設定されるファイル番号は、一つの共有データＩＤ内でユニークに設定された番号であり、これらのファイル番号は注文票上に印刷出力されることになる（図６参照）。図６に示した注文票βにおいては、この「Ｎｏ．」項目で設定されたファイル番号は、サムネイル画像毎に付与された番号Ｎｏ．１、Ｎｏ２、Ｎｏ．３、…に対応する。
【００５３】
また、共有データ情報１８３において、「パス名」項目は、グループの共有データ内の各ファイルのディレクトリパスを記憶し、「ファイル名（フラット）」項目は、「パス名」項目の各ファイルを特定するために制御部１０により付与されたファイル名を記憶している。この「ファイル名（フラット）」項目で設定されるファイル名は、共有データのディレクトリ構造をフラットなディレクトリ構造に構築し直した場合のファイル名である。
【００５４】
次に、本実施の形態の動作を説明する。
図５に示したフローチャートを参照して、注文処理端末１により実行される注文票発行処理について説明する。
【００５５】
図４に示したようなグループ会員申し込み票αに、グループのメンバーに関する情報が記入され、このグループ会員申し込み票αが、グループ代表者により、注文処理端末１が設置された店舗において提示されたとする。当該店舗の店員による入力操作により、グループ会員申し込み票αの記載内容が注文処理端末１に入力されると、制御部１０は、登録対象となっているグループに対してユニークなグループＩＤを付与し、このグループＩＤと、上記入力内容（グループメンバーの氏名、電話番号等）とを、情報管理ＤＢ１８内のグループ情報１８２に登録する。
【００５６】
なお、店舗店員の入力操作は、注文処理端末１のキー入力部１２から行ってもよいし、注文処理端末１にネットワーク接続された外部機器から通信部１７を介して行うようにしてもよい。また、グループ会員申し込み票αの記載内容の入力を、コンピュータ操作に慣れているグループメンバーが、外部機器から行うようにしてもよい。
【００５７】
次いで、メディア入力部１３から、ステップＳ１で登録されたグループの共有データが入力されると（ステップＳ２）、制御部１０は、入力された共有データを記憶部１６に書き込み、入力された共有データに対してユニークな共有データＩＤを付す。また、制御部１０は、入力された共有データ内の各ファイルにファイル番号（Ｎｏ．）を付与するとともに、各ファイルを特定するファイル名（フラット）を付与し、当該共有データＩＤに対して、ファイル番号及びファイル名（フラット）を対応付けて情報管理ＤＢ１８内の共有データ情報１８３に記憶する。なお、グループの共有データは、メディア入力部１３以外の外部の入力部から、公知の各種通信手段を用いて入力するようにしてもよい。
【００５８】
次いで、制御部１０は、当該グループＩＤ及び当該共有データＩＤの組み合わせに対してユニークな管理Ｎｏ．を付し、この管理Ｎｏ．、グループＩＤ及び共有データＩＤを対応付けて情報管理テーブル１８１に記憶する（ステップＳ３）。
【００５９】
次いで、制御部１０は、記憶部１６に書き込まれた共有データ及び管理情報ＤＢ１８に格納された各種情報に基づいて、注文票データの作成を行う（ステップＳ４）。この注文票データの作成において、制御部１０は、記憶部１６に書き込まれた共有データ内の各画像ファイルに対して、注文票に画像の一覧印刷を行うために、画像ファイル毎にサムネイル画像を作成する。
【００６０】
次いで、制御部１０は、ステップＳ４で作成された注文票データに基づいて、プリント出力部１５から注文票を印刷出力し（ステップＳ５）、本注文処理を終了する。
【００６１】
なお、ステップＳ５において印刷出力される注文票は、一枚でも複数枚（例えば、グループメンバーの人数分）でもよい。また、ステップＳ５における注文票出力前に、キー入力部１２により、出力枚数を指定できるようにしてもよい。注文票が一枚発行された場合、注文票のコピーがグループ代表者により各グループメンバーに配布され、各グループメンバーは、配布された注文票を用いて、各々所望のタイミングでプリント注文やメディア書き込み注文を行うことになる。
【００６２】
図６に、ステップＳ５で印刷出力された注文票βの印刷例を示す。注文票βは、図６に示すように、上部の左側には、「受付日時」、「管理Ｎｏ．」、「お名前」、「ＴＥＬ」の各項目が設けられ、上部の右側には、「有効期間」、「全注文」、「取次店」、「ＴＥＬ」、「住所」の各項目が設けられている。
【００６３】
注文票β上部左側の「受付日時」項目には、プリント注文を受け付けた日時として注文票βを発行した日時が印刷され、「管理Ｎｏ．」項目には、情報管理テーブル１８１（図２）内の「管理Ｎｏ．」項目に設定された番号が印刷される。注文票βの右上には、この「管理Ｎｏ．」項目に印刷された番号に対応するバーコードが印刷されている。また、注文票β上部左側の「お名前」項目及び「ＴＥＬ」項目には、それぞれ、プリント注文をするグループメンバーの氏名、電話番号の記入欄が設けられている。
【００６４】
注文票β上部右側の「有効期間」項目には、上記の受付日時に受け付けたプリント注文の有効期間が印刷される。また、「全注文」項目には、プリント注文枚数の総数の記入欄が設けられている。また、注文票β上部右側の「取次店」項目、「ＴＥＬ」項目及び「住所」項目には、それぞれ、プリント注文を受け付けた店舗の名前（取次店名）、当該店舗の電話番号、当該店舗の住所が印刷される。
【００６５】
更に、注文票βには、インデックスプリントのように、ステップＳ２で入力さされた共有データ内の各画像ファイルのサムネイル画像が一覧印刷され、サムネイル画像毎に、ファイル番号が印刷されている。なお、注文票β上に印刷されるサムネイル画像は、カラーでもモノクロでもよい。また、サムネイル画像をカラー印刷するか否かを、キー入力部１２から指定できるようにしてもよい。
【００６６】
また、サムネイル画像の下部には、プリントサイズ（Ｌ、２Ｌ等）の選択欄及びＣＤ−Ｒへの書き込みの有無を指定する欄が設けられるとともに、プリント枚数の記入欄が設けられている。ここで、サムネイル画像毎に示されるファイル番号（Ｎｏ．１、Ｎｏ．２、…）は、共有データ情報１８３（図３（ｂ））の「Ｎｏ．」項目において設定された番号である。なお、注文票βに、バーコード化されたファイル番号が併記されるようにしてもよい。
【００６７】
また、注文票βの下部右側には、地域のお知らせや、上記フォトサービスを提供する店舗の広告等が印刷される。注文票βに広告を掲載することで、新聞などの広告に比べて各段に安い広告料で、各種の宣伝を行うことが可能である。
【００６８】
更に、注文票βの下部左側には、注文票βによる注文を受け付けるＦＡＸ番号、電話番号及びＵＲＬ（Ｕｎｉｆｏｒｍ　Ｒｅｓｏｕｒｃｅ　Ｌｏｃａｔｏｒ）が印刷されている。
【００６９】
ファクシミリによる注文を行う場合、注文者（グループのメンバー）は、必要事項（名前、ＴＥＬ、プリントサイズの指定、プリント枚数等）が記入された注文票βを、「ＦＡＸ受付」で指定されたＦＡＸ番号に送信する。
【００７０】
電話による注文を行う場合、注文者は、「電話受付」で指定された電話番号に電話をし、管理Ｎｏ．、名前及び自分の電話番号を伝えるとともに、プリントサイズやプリント枚数等の注文内容を伝える。
【００７１】
パーソナルコンピュータ等の通信端末から注文を行う場合、注文者は、「注文用ＵＲＬ」で指定されたＵＲＬにアクセスし、注文用の記入フォームに、必要事項（管理Ｎｏ．、名前、自分の電話番号、注文内容）を入力し、指定された送信先に送信する。
【００７２】
以上のように、本実施の形態の注文処理端末１によれば、ある特定のグループの共有データ（共有データＩＤ）及び当該グループに関する情報（グループＩＤ）に対してユニークに付与された管理Ｎｏ．が記録されるとともに、グループのメンバーの識別情報（氏名及び電話番号）の記入欄が設けられた注文票を発行することで、グループの各メンバーは、発行された注文票を用いて、グループ代表者や他のメンバーに気兼ねなく、所望のタイミングでプリント注文やメディア書き込み注文を行うことができる。
【００７３】
また、注文処理端末１により発行された注文票には、メンバーの識別情報を印刷せずに、グループのメンバーの識別情報（氏名及び電話番号）を手書きで記入できるようにしているため、注文票の悪用を防ぐことができる。
【００７４】
また、注文内容が手書きで記入可能な注文票を発行することにより、パーソナルコンピュータ（ＰＣ）を保有しないＮｏｎ　ＰＣユーザであっても、容易にプリント注文を行うことができ、フォトサービスの利用者促進を図ることができる。
【００７５】
更に、共有データ内の各画像ファイルのサムネイル画像が印刷された注文票を発行することにより、注文客（グループメンバー）は、発行された注文票に注文内容を記入する際、注文を行う画像を容易に確認することができる。
【００７６】
なお、本実施の形態における記述内容は、本発明の趣旨を逸脱しない範囲で適宜変更可能である。
【００７７】
例えば、本実施の形態では、メディア入力部１３から入力されるグループの共有データを画像データとしたが、文書データであってもよい。文書データの場合、注文票には、文書データ内のファイル毎に、アイコン及びファイル名を印刷するとともに、ファイルのプリント部数が記入可能な空欄を設けるようにしてもよい。
【００７８】
【発明の効果】
請求項１記載の発明によれば、グループの共有データに施す所定の処理の注文に際して、グループを構成するメンバーの識別情報の記入欄を有し、管理情報が記録された注文票を発行することにより、グループの各メンバーは、他のメンバーに気兼ねなく、所望のタイミングで、共有データに対する処理を注文することができる。
【００７９】
請求項２記載の発明によれば、入力されたグループの共有データに施す所定の処理の注文に際して、グループを構成するメンバーの識別情報の記入欄を有し、管理情報が記録された注文票を発行することにより、グループの各メンバーは、他のメンバーに気兼ねなく、所望のタイミングで、共有データに対する処理を注文することができる。
【００８０】
請求項３記載の発明によれば、グループの各メンバーは、他のメンバーに気兼ねなく、共有データのプリント処理を注文することができる。
【００８１】
請求項４記載の発明によれば、グループの各メンバーは、他のメンバーに気兼ねなく、共有データの記録媒体への記録処理を注文することができる。
【００８２】
請求項５記載の発明によれば、画像データのサムネイル画像が印刷された注文票が発行可能になることにより、注文客は、発行された注文票に注文内容を記入する際、注文を行う画像を容易に確認することができる。
【００８３】
請求項６記載の発明によれば、プリント注文票に、所定のグループで共有している画像データのサムネイル画像若しくはアイコン又は文書データのアイコンと、前記所定のグループの識別情報及び共有データを対応付けた管理情報が記録されていることにより、グループの各メンバーは、当該プリント注文票を用いて画像データ又は文書データのプリント注文を行う際、プリント注文を行うデータを容易に確認することができる。
【図面の簡単な説明】
【図１】本発明の注文処理システムを適用した注文処理端末１の内部構成を示すブロック図。
【図２】情報管理ＤＢ１８に格納される情報管理テーブル１８１のデータ構成を示す図。
【図３】情報管理ＤＢ１８に格納されるグループ情報１８２のデータ構成（同図（ａ））と、共有データ情報１８３のデータ構成（同図（ｂ））を示す図。
【図４】グループ会員申し込み票αを示す図。
【図５】注文処理端末１により実行される注文票発行処理を示すフローチャート。
【図６】注文処理端末１により発行される注文票βを示す図。
【符号の説明】
１　　注文処理端末
１０　制御部
１１　表示部
１２　　キー入力部
１３　　メディア入力部
１４　　メディア出力部
１５　　プリント出力部
１６　　記憶部
１７　　通信部
１８　　情報管理ＤＢ
１８１　情報管理テーブル
１８２　グループ情報
１８３　共有データＩＤ
１９　　バス
α　　グループ会員申し込み票
β　　注文票
【図１】
2004046441.tif 000003
【図２】
2004046441.tif 000004
【図３】
2004046441.tif 000005
【図４】
2004046441.tif 000006
【図５】
2004046441.tif 000007
【図６】
2004046441.tif 000008